(57)【特許請求の範囲】
【請求項１】
濁水を通過させる流路部に、電源の陽極および陰極にそれぞれ接続した陽極電極板と陰極電極板とを１または２枚ずつ交互に隣接させた組を複数配列した電極板群を設置し、この電極板群の下部に曝気装置を設置して数時間おきに短時間の強曝気を行うことを特徴とする電解式濁水処理装置における電極スケール防止方法。
【請求項２】
濁水を通過させる流路部に水流方向と垂直に潜り堰とオーバーフロー堰を設け、この二つの堰間に、電源の陽極および陰極にそれぞれ接続した陽極電極板と陰極電極板とを１または２枚ずつ交互に隣接させた組を複数配列した電極板群を設置することにより、前記電極板群を通過する濁水に上向流を生じさせ、この電極板群の下部に曝気装置を設置して数時間おきに短時間の強曝気を行うことを特徴とする電解式濁水処理装置における電極スケール防止方法。
【請求項３】
濁水を通過させる流路部に水流方向と垂直に潜り堰とオーバーフロー堰を設け、この二つの堰間に、電源の陽極および陰極にそれぞれ接続した陽極電極板と陰極電極板とを１または２枚ずつ交互に隣接させた組を複数配列した電極板群を設置することにより、前記電極板群を通過する濁水に上向流を生じさせ、この電極板群の下部に曝気装置を設置して数時間おきに短時間の強曝気を行い、前記電極板群に５０Ｖ以下の電圧を一定時間毎に極性変換を行いながら印加して低電圧で電気分解を行うことを特徴とする電解式濁水処理装置における電極スケール防止方法。
【発明の詳細な説明】
【０００１】
【産業上の利用分野】
この発明は、セメント系濁水の他、上下水道における濾過工程の前処理、あるいは降雨による土砂流出濁水、土木建築工事に伴う閉鎖性水域の浄化等を行うための電解式濁水処理装置における電極スケール防止方法に関するものである。
【０００２】
【従来の技術】
一般に、濁水を浄化する方法としては、濁水に高分子凝集剤を添加し、懸濁物質を団粒化して沈澱させることが知られており、この原理を応用した装置が実用化されている。
【０００３】
しかし、この装置では多量の薬剤を用いるために、ランニングコストが割高となり、また薬剤による環境への影響も無視できないという問題がある。
【０００４】
そこで近年、薬剤を用いない方法として、電気分解を応用して懸濁物質を団粒化して沈澱させる電解式濁水処理装置が新たに提案されている。
【０００５】
【発明が解決しようとする課題】
上記電解式濁水処理装置は金属製の陽極電極板と陰極電極板とに直流電圧を印加すことにより、陽極から金属イオンを発生させるもので、濁水中の懸濁物質は通常は表面電荷が陰であるため、陽イオンである金属イオンとの間で電気的に中性化し、中性化した粒子同士が引力によって引き合い結合する結果、濁水中の懸濁液質は団粒化して沈降して、清澄化することが可能となる。
【０００６】
しかし、流入する濁水中にスケールを付着しやすい成分が多く含まれる場合、電気分解の進行に伴って電極板の表面に徐々にスケールが付着するようになり、このスケールが陽極からの金属イオンの発生を阻害して濁水の電解処理を低下させることになる。
【０００７】
従って、従来の電解式濁水処理装置では、長期的に電気分解を行うとスケールが付着し、電気分解による濁水処理を低下させるという問題がある。
【０００８】
【課題を解決するための手段】
この発明は前記従来の課題を解決するために、濁水を通過させる流路部１に水流方向と垂直に潜り堰５とオーバーフロー堰６を設け、この二つの堰５，６間に、電源の陽極８ａおよび陰極８ｂにそれぞれ接続した陽極電極板９ａと陰極電極板９ｂとを１または２枚ずつ交互に隣接させた組を複数配列した電極板群２を設置することにより、この電極板群２を通過する濁水に上向流を生じさせ、この電極板群２の下部に曝気装置１５を設置して数時間おきに短時間の強曝気を行い、この電極板群に５０Ｖ以下の電圧を一定時間毎に極性変換を行いながら印加して低電圧で電気分解を行うようにした電解式濁水処理装置における電極スケール防止方法を提案するものである。
【０００９】
【作用】
潜り堰５とオーバーフロー堰６を設けて電極板群２を通過する濁水に上向流を生じさせることにより、電極板９ａ，９ｂに付着しようとするスケールをこの上向流で強制的に流亡させる。
【００１０】
電極板群２の下部に設置した曝気装置１５により数時間おきに短時間の強曝気を行うことにより、その上向きの泡流により電極板に付着しようとするスケールを流亡させる。
【００１１】
電極板には低電圧で一定時間ごとの極性変換をして電圧を印加することにより、陽極及び陰極の両電極板に発生するスケールを量的に少なくしてスケール発生を防止する。
【００１２】
これにより、電極板に付着するスケールを長期的に減少させて濁水を安定して効率的に電解処理することが可能となる。
【００１３】
【実施例】
流路部１は処理すべき濁水を通過させるためのもので、絶縁材により形成されており、この流路部１内に電極板群２が配置されている。
【００１４】
流路部１は図３に示すように、四周４面が壁板３により囲まれた箱形状に構成されている。
【００１５】
流路部１の上流側には、その前方に配置された原水槽４からポンプＰによって濁水が供給されるようになっており、この流路部１の中間に水流方向と垂直に潜り堰５とオーバーフロー堰６が設けられ、濁水流は潜り堰５の下方の開口部から流れ込んでオーバーフロー堰６の上端から溢れるに至るまで二つの堰５，６間を上向流となって流れるように構成されており、この二つの堰５，６間に電極板群２が設置されている。
【００１６】
電極板群２は、電源７の陽極８ａおよび陰極８ｂにそれぞれ接続したアルミニウム又は鉄製の陽極電極板９ａと陰極電極板９ｂとを１枚または２枚ずつ交互に平行に隣接させてこれらを複数組連続的に配列したもので、陽極電極板９ａと陰極電極板９ｂの向きは水流方向と垂直になっており、この電極板群２は流路部１の両側の壁板３に着脱交換自在に支持されている。
【００１７】
電源２は図１に示すように、商用電源１０からの電圧を次段の可変抵抗器１１で可変し、これをサイリスタによるブリッジ整流器１２に入力して直流を得るように構成されており、その直流出力が極性変換器１３を介して陽極８ａ及び陰極８ｂに接続されている。
【００１８】
なお、可変抵抗器１１は、制御装置１４からの出力により制御されるようになっている。
【００１９】
電極板群２の下方には曝気装置１５が配置され、この曝気装置１５は図示しないエアコンプレッサーまたはブロアーなどから空気を供給するように、内部が空洞な箱型をなしており、その上面には多数の空気孔が形成され、この空気孔から空気を陽極電極板９ａと陰極電極板９ｂとの間に吹き出して曝気するよう構成されている。
【００２０】
上記のように構成された電解式濁水処理装置を用いて濁水処理を行う際には、流路部１に原水槽４からポンプＰによって濁水を順次供給し、この濁水を潜り堰５の下方の開口部から電極板群２間を通ってオーバーフロー堰６の上端にかけて上向流となして流す。
【００２１】
陽極電極板９ａと陰極電極板９ｂには、５０ボルト以下の低電圧を極性変換器１３により極性を一定時間毎に交互に変換しながら印加し、上向流となって流れる濁水の電気分解を行う。
【００２２】
一方、電極板群２の下部に設置した曝気装置１５により数時間おきに短時間の強曝気を行い、その上向きの泡流により電極板に付着しようとするスケールを流亡させる。
【００２３】
【発明の効果】
以上の通りこの発明によれば、潜り堰とオーバーフロー堰を設けて電極板群を通過する濁水に上向流を生じさせるので、電極板に付着しようとするスケールをこの上向流で強制的に流亡させることができる。
【００２４】
電極板群の下部に設置した曝気装置により数時間おきに短時間の強曝気を行うので、その上向きの泡流により電極板に付着しようとするスケールを流亡させることができる。
【００２５】
電極板には低電圧で一定時間ごとの極性変換をして電圧を印加するので、陽極及び陰極の両電極板に発生するスケールを量的に少なくしてスケール発生を防止することできる。
【００２６】
これにより、電極板に付着するスケールを長期的に減少させて濁水を安定して効率的に電解処理することが可能となる。
【図面の簡単な説明】
【図１】この発明の一実施例を示す平面図。
【図２】この発明の一実施例を示す縦断側面図。
【図３】この発明の一実施例を示す要部の斜視図。
【符号の説明】
１  流路部
２  電極板群
３  壁板
４  原水槽
５  潜り堰
６  オーバーフロー堰
７  電源
８ａ  陽極
８ｂ  陰極
９ａ  陽極電極板
９ｂ  陰極電極板
１０  商用電源
１１  可変抵抗器
１２  ブリッジ整流器
１３  極性変換器
１４  制御装置
１５  曝気装置
【図１】
0003914582.tif 000002
【図２】
0003914582.tif 000003
【図３】
0003914582.tif 000004